(57)【要約】      （修正有）【課題】ワイシャツを吊した場合でも、ワイシャツの台襟部の本来の形状を維持可能としたハンガーを提供する。【解決手段】衣服を支持するための衣服支持部２と、衣服支持部２の略中央上部に連設された襟保護部３と、襟保護部３の略中央上部に連設されたフック部４とを有するハンガー１において、襟保護部３を、衣服支持部２の上面に対して約６０度程度の角度が形成されるようにしてハンガーの正面側に傾けて連設し、フック部４は襟保護部３に鉛直方向に向けて連設し、更に、襟保護部３におけるハンガー１の幅方向に向いた両端側に、外圧を受けることでハンガー側に変形し外圧が解除されると元の形状に復元可能なリング状の襟潰れ防止リング部３０２を、ハンガーの幅方向に見た端部がハンガー１の正面側に突出するように変形させて備えたことを特徴とし、ワイシャツの台襟の形状を維持可能とした。【選択図】図１
0003144453.tif 000002
【実用新案登録請求の範囲】
【請求項１】
衣服を支持するための衣服支持部（２）と、該衣服支持部（２）の略中央上部に連設された襟保護部（３）と、該襟保護部（３）の略中央上部に連設されたフック部（４）と、を有するハンガー（１）において、
前記襟保護部（３）を、前記衣服支持部（２）に対して任意の角度だけハンガー１の正面側に傾けて連設し、前記フック部（４）は、前記襟保護部（３）に鉛直方向に向けて連設した、ことを特徴とするハンガー。
【請求項２】
前記襟保護部（３）を、前記衣服支持部（２）の上面に対して約６０度程度の角度が形成されるようにして、ハンガー１の正面側に傾けたことを特徴とする請求項１に記載のハンガー。
【請求項３】
前記襟保護部（３）は、ハンガー（１）の幅方向に向いた両端側にリング状の襟潰れ防止リング部（３０２）を備えるとともに、該襟潰れ防止リング部（３０２）は、衣服の台襟の湾曲面に沿うようにハンガー（１）の幅方向に見た端部がハンガー（１）の正面側に突出するように変形させるとともに、該突出させた先端側は、ハンガー（１）の背面側に向けた圧力を受けると変形し、該圧力が解除されると復元可能としたことを特徴とする請求項１に記載のハンガー。
【請求項４】
前記フック部（４）の基端部分に、タック片が装着されるタック装着部（５）を備えるとともに、該タック装着部（５）を、ハンガー（１）の正面側に対して約４５度程度の角度をもって後方側に突出するようにしたことを特徴とする請求項１又は請求項２に記載のハンガー。
【考案の詳細な説明】
【技術分野】
【０００１】
本考案は、クリーニング店やクリーニング工場等で使用される業務用のハンガーに係り、より詳しくは、特に、ワイシャツ等を吊した際に、吊されたワイシャツ等の台襟部後側の湾曲形状を維持可能としたハンガーに関する。
【背景技術】
【０００２】
従来からクリーニング店等においては、クリーニングされたワイシャツ等にハンガーを装着する際には、ワイシャツ等の台襟部分の型崩れを防止するために、例えば厚紙等で形成された細長形の型崩れ防止具を、ワイシャツ等の台襟の裏面に沿うようにして襟の中に装着して、台襟部分の型崩れを防止している。
【０００３】
しかしながら、この従来から使用されている型崩れ防止具においては、型崩れ防止具の装着に手間がかかり、作業が煩雑にならざるを得なかった。そのため、本考案者は過去において、ハンガーを装着した衣服の襟の先端部分に外圧が加わった場合に襟を保護する襟ガイドを備えたハンガーを提案した。
【０００４】
即ち、図９及び図１０は、この襟ガイドを備えたハンガー３１を示す図であり、図において３４が襟ガイドである。即ち、この従来のハンガー３１は、衣服の肩部分を支持する肩部支持部３２の中央上部に、衣服の襟部分を保護する襟保護部３３が連設されており、この襟保護部３３の上部にはフック部３５が連設されて、前記襟保護部３３の両側に、襟ガイド３４を左右方向に張り出させている。
【０００５】
従って、この構成においては、ハンガーに衣服を吊した状態では、襟ガイドが衣服の襟部に当接して衣服の襟部に膨らみをもたせるために、衣服の襟部の型崩れを防止することが可能である。
【特許文献１】特開２０００−９３２８４号公報
【特許文献２】登録実用新案第３１０６７４０号公報
【考案の開示】
【考案が解決しようとする課題】
【０００６】
ところで、図１１は、一般的なワイシャツ４１の一部を示す図であり、図において４２が台襟部であるが、一般的にワイシャツ等の台襟部４２の後側、図において４３で示す部分は、全体として、首周りの外径に沿うように円弧状になっているとともに、全体的に正面側に僅かに傾いている。
【０００７】
即ち、周知の通り、人間の首は前方に向けて斜めに傾斜しているために、ワイシャツの台襟部の後側もまた、首周りの外径に沿うように円弧状になっているとともに、首の傾きに沿うように前方に僅かに傾けている。
【０００８】
そのために、クリーニング店においては、クリーニング後のワイシャツについて、この台襟部の後側の形状を維持するために、例えば首周りの丸みに似せた道具を用いて、この道具にワイシャツの台襟部分を当てて台襟の形状の維持を行うこともある。
【０００９】
しかしながら、前述の従来から提供されているハンガー３１では、衣服の肩部を支持する肩部支持部３２の上部に鉛直方向に向けて襟保護部３３を連設しているために、即ち、ハンガーを横方向から見た場合に全体が上下方向に向けて直線状となっているために、ワイシャツを吊して襟先を揃えると、台襟４２の後側４３は、襟保護部３３によって垂直にされてしまい、また横方向に直線状とされてしまい、台襟４２の後側４３の本来の形状が失われてしまうという問題点が考えられる。
【００１０】
この状態を側面から示した図が図１３であり、図において点線で示した部分がワイシャツ４２の輪郭である。また、図１２は、従来のハンガーに吊した状態のワイシャツ４１を正面から見た状態を示しており、このように従来のハンガーでワイシャツを吊した場合には、台襟４２の後側４３の内側が襟保護部３３に当接してしまうため、襟保護部３３が台襟後側４３の内側にハンガーの幅方向へのストレスを与えてしまい、それにより、台襟後側４３は、垂直にされてしまい前方への傾きが失われてしまうとともに、横方法へ直線状に変形されてしまう。
【００１１】
そのために、前述のような襟ガイドを備えたハンガーにおいては、襟先の潰れを防止することはできても、台襟後側の本来の形状を保護することは困難であった。
【００１２】
そこで、本考案は、ワイシャツを吊した場合でも、台襟の後側にストレスを与えること無く、吊されたワイシャツ等の台襟部の本来の形状を維持可能としたハンガーを提供することを課題としている。
【課題を解決するための手段】
【００１３】
本考案のハンガーは、衣服を支持するための衣服支持部と、該衣服支持部の略中央上部に連設された襟保護部と、該襟保護部略中央上部に連設されたフック部と、を有するハンガーにおいて、
前記襟保護部を、前記衣服支持部に対して任意の角度だけハンガーの正面側に傾けて連設し、前記フック部は、前記襟保護部に鉛直方向に向けて連設した、ことを特徴としている。
【考案の効果】
【００１４】
本考案のハンガーでは、衣服を支持するための衣服支持部の上部に連設した襟保護部を、前記衣服支持部に対して任意の角度だけ前方に傾けているため、衣服支持部にワイシャツを支持した場合でも、襟保護部がワイシャツの台襟の後側を垂直にしてしまうことがないとともに、横方向へ直線状にしてしまうこともなくワイシャツの台襟後側の形状を維持することが可能である。
【考案を実施するための最良の形態】
【００１５】
本考案のハンガーでは、ワイシャツの肩部を支持するための衣服支持部を有しており、この衣服支持部の略中央上部には、衣服支持部で支持しているワイシャツの襟部分を保護するための襟保護部が連設され、この襟保護部の上部には、ハンガー全体をパイプ等に吊すためのフック部が連設されている。
【００１６】
そして、前記襟保護部は、前記衣服支持部の上面に対して約６０度程度の角度が形成されるようにして、ハンガーの正面側に傾けて連設されており、この襟保護部の上部に連設されたフック部は、前記襟保護部に、鉛直方向に向けて連設されている。
【００１７】
ここで、前記襟保護部における、ハンガーの幅方向に向いた両端側に、リング状の襟潰れ防止リング部を備えるとよく、その際には、この襟潰れ防止リング部は、ワイシャツの台襟の湾曲面に沿うように、ハンガーの幅方向に見た端部がハンガーの正面側に突出するように変形させるとともに、該突出させた先端側を、ハンガーの背面側に向けた圧力を受けると変形し該圧力が解除されると復元可能にするとよく、これによって、ワイシャツを吊した状態のハンガーを重ね置きした場合や、パイプに吊しているハンガーを詰めていってワイシャツの襟の先端部分に圧力が加わった場合でも、襟潰れ防止リング部が変形することでワイシャツの襟先の台襟横側に折り目等が出来てしまうことを防止できるとともに、圧力が解除された場合には襟潰れ防止リング部とともにワイシャツの襟先の台襟横側も復元させることができる。
【００１８】
また、前記フック部の基端部分にタック装着部を備え、衣服を店別及び客先別に仕分けするために用いる連番等が記載された連番タック片をこのタック装着部に装着可能とするとよく、その際に、このタック装着部を、ハンガーの正面側に対して約４５度程度の角度をもって後方側に突出させ、衣服をパイプ等に吊るした状態において、タック装着部に装着した連番タッグ片がパイプの長手方向に対して約４５度傾いた方向に向くようにするとよい。そうすると、これにより、クリーニングが完了した衣服の仕分けを行う際に、隙間無く吊るされている衣服をかき分けて連番タック片を見ること無く、必要が無くなり、仕分け作業の効率化を図ることが可能となる。
【実施例１】
【００１９】
本考案のハンガーの実施例について図面を参照して説明すると、図１は、本実施例のハンガーを正面から見た状態を示す図であり、図において１が本実施例のハンガーである。また、図２は本実施例のハンガーを背面から見た状態を示す図、図３は本実施例のハンガーを平面から見た状態を示す図、図４は図１における右方向から本実施例のハンガーを見た側面図、図５は図１における左方向から本実施例のハンガーを見た側面図、図６は図１におけるＡ−Ａ線断面構造を示した図、図７は図６におけるＢ部分を拡大して示した図である。
【００２０】
そして、本実施例におけるハンガー１は、クリーニング工場等においてクリーニングされたワイシャツを吊すためのワイシャツ用ハンガーとしており、ワイシャツの肩部を支持するための衣服支持部２を有している。
【００２１】
また、本実施例のハンガー１において前記衣服支持部２は、直線上とした中央部２０１と、この中央部２０１の両端側をなだらかに下方に下げて略ハ字状とした両端部２０２とで構成される、いわゆるオープンタイプとして、ワイシャツの肩部を支持する肩部支持部２としている。
【００２２】
そして、本実施例においては、前記肩部支持部２の幅方向寸法を約３８ｃｍ程度に設定しており、これにより、ワイシャツを吊した際に袖部分の位置が安定するようにし、包装等の作業を容易にしている。
【００２３】
即ち、肩部支持部２の幅方向寸法を長くした場合には、ワイシャツを吊した際に、ワイシャツの袖部分の位置が定まらず、即ち、前側へ位置したり後側へ位置したりしてしまい、その後の包装作業が繁雑になってしまう。しかしながら、本実施例においては前記肩部支持部２の幅方向寸法は約３８ｃｍ程度に設定し、これにより、ワイシャツを吊した際に袖部分の位置が前側あるいは後側で安定するようにしているため、その後の包装作業が極めて容易となる。
【００２４】
なお、前述のように、本実施例において衣服支持部２はオープンタイプの肩部支持部２としているが、本考案のハンガー１における衣服支持部２は、必ずしもこのようなオープンタイプには限定されず、その他、例えば前述の特開２０００−９８２８４号に示すような略長方形状の枠体としてもよく、また、肩部支持部２の両端を横杆で連通してこの横杆にズボン等を吊り下げ可能とした形態としてもよい。
【００２５】
また、本実施例のハンガーでは、金型を用いて一体成型し、その素材は樹脂としているが、必ずしも、一体成形する必要は無く、また素材も樹脂とする必要はない。
【００２６】
次に、前記肩部支持部２の中央上部には、ワイシャツの台襟部を保護するための襟保護部３が連設され、この襟保護部３上方には、ハンガー１をパイプ等の適宜な場所に吊るすためのフック部４が、上方向に向けて連設されている。
【００２７】
そして、前記フック部４は、前記襟保護部３に連設される、斜め方向に向けた連設部４０１と、この連設部４０１の頂点部分に上方に向けて連設した基部４０２と、この基部４０２の上部に連設した先端部４０３とを有しており、前記先端部４０３は、略半円形状に湾曲させ、この先端部４０３によってハンガー１をパイプ等に吊るすことを可能としている。
【００２８】
また、前記基部４０２の長手方向に沿った一端には、連番タック片が嵌入される凹部を有したタック装着部５を有している。即ち、一般的にクリーニング店やクリーニング工場等においては、クリーニングされた衣服を店舗別及び客先別に仕分けするために、店舗名等及び連番が付された、いわゆる連番タック片を用いているが、本実施例のハンガー１では、この連番タックを装着するためのタック装着部５を前記フック部４における基部４０２に有しており、これにより、クリーニングされた衣服の仕訳作業を容易にしている。
【００２９】
そして、本実施例のハンガーでは、図３乃至図６からも明らかなように、前記タック装着部５を、前記基部４０２の正面側に対して、約４５度程度の角度をもって後方側に突出するようにし、連番タック片をタック装着部５に装着した場合に、前記連番タック片の長手方向に沿った一端が、ハンガー１の正面から見て斜め約４５度後方に向くようにしており、これにより、ワイシャツをパイプ等に吊るした状態において、連番タッグ片がパイプの長手方向に対して約４５度傾いた方向に向くことを可能にし、連番タック片に明記されている連番等の確認作業を容易にしている。
【００３０】
なお、本考案のハンガーでは、前記タック装着部５は必ずしも必要なものではなく、これを備えない形態としてもよく、また、備える場合でも、必ずしも約４５度の角度をもって後方側に突出するようにする必要もない。
【００３１】
次に、前記襟保護部３について説明すると、図において、本実施例における襟保護部３は、正面視野で略四角形状とした本体部３０１と、この本体部３０１におけるハンガーの幅方向両端に連設した襟潰れ防止リング部３０２とを有している。そして、前記襟潰れ防止リング部３０２は、図４乃至図６からも明らかなように、リング状にするとともに、ハンガーに吊したワイシャツの台襟の両側壁の湾曲面に沿うように、ハンガー１の幅方向に向いた端部に行くに従って、なだらかに正面側に向けて変形させており、ハンガー１の幅方向に向いた端部がハンガーの正面側に突出するようにしている。
【００３２】
そのために、本実施例のハンガー１にワイシャツを吊した場合には、吊しているワイシャツの台襟内側の両側部分が襟潰れ防止リング部３０２に当接し、これによりワイシャツの台襟部に膨らみをもたせ、その型崩れを防止することができる。
【００３３】
また、リング状にしているために、ハンガーの背面側に向けた圧力を受けると変形し、該圧力が解除されると復元可能としている。
【００３４】
そのため、ワイシャツを支持した状態のハンガー１を重ね置きした場合や、ハンガーを装着した衣服の襟の先端部分に外圧が加わった場合は、ワイシャツの台襟内側に当接している襟潰れ防止リング部３０２が、外圧が加わったワイシャツの襟とともにハンガー１の背面側に変形するとともに、前記外圧が解除されると復元するので、ワイシャツの台襟先端部分に折り目が出来てしまうということを有効に防止することができる。
【００３５】
次に、図４乃至図７に示されるように、本実施例の襟保護部３は、前記肩部支持部２との連設において、任意の角度だけ、ハンガー１の正面側に傾け、前記フック部４は、鉛直方向に向けて、前記襟保護部３に連設している。即ち、本実施例においては、図７に示すように、フック部４によってハンガー１をパイプ等に吊るし、これにより前記フック部４が鉛直方向に向いた際に、前記衣服支持部２の上面に対して約６０度程度の角度が形成されるようにして、前記襟保護部３を、ハンガー１の正面側に傾けている。
【００３６】
そのため、本実施例のハンガー１では、ワイシャツを吊して襟先を揃えた場合においても、襟保護部３の後側がワイシャツの台襟後側を垂直にしてしまうとともに横方向に直線状にしてしまうことが無く、それにより、台襟後側の本来の形状を維持することが可能である。
【００３７】
この関係を図８によって説明すると、図８は本実施例のハンガーにワイシャツを吊した状態を側面から見た状態を示しており、図において点線で示した部分４１がワイシャツの輪郭であり、４２が台襟部分、４３が台襟後側である。そして、本実施例のハンガーにおいては、前記襟保護部３を、前記肩部支持部２の上面に対して約６０度程度の角度が形成されるようにしたハンガー１の正面側に傾けているため、図８に示すように、ワイシャツ４１を吊した場合でも、ワイシャツ４１の台襟４２の後側４３が垂直に変形されてしまうことがなく、従って、ワイシャツ４１の台襟４２の後側４３の本来の形状を維持することが可能である。
【００３８】
なお、本実施例のハンガーでは、前記襟保護部３における本体部３０１の高さ寸法を約４０ｍｍに設定しており、これにより、ハンガー１に吊したワイシャツの台襟部分の上端が襟保護部３よりも上方に突出して潰れてしまうことを防止している。
【００３９】
次に、本実施例のハンガーの作用について説明すると、本実施例のハンガーにクリーニングされたワイシャツを吊し、更に襟先を互いに近接して揃えると、ワイシャツの台襟は襟潰れ防止リング部３０２に沿うようにその表面に当接し、ワイシャツの台襟に膨らみを持たせてその型くずれを防止することができる。
【００４０】
そしてこのとき、本実施例のハンガー１では、前記襟保護部３を、前記肩部支持部２の上面に対して約６０度程度の角度が形成されるようにして、ハンガー１の正面側に傾けているために、ワイシャツを吊した場合でも、台襟４２の後側４３が垂直に変形されてしまうことがなく、また台襟４２の後側４３が横方向に直線状に変形されてしまうこともなく、従って、吊されたワイシャツ等の台襟部の本来の形状を維持することが可能である。
【００４１】
また、前記襟潰れ防止リング部３０２におけるハンガーの正面側に突出させた部分は、ハンガーの背面側に向けた圧力を受けると変形し、該圧力が解除されると復元可能としているため、ワイシャツを支持した状態のハンガー１を重ね置きした場合や、ハンガーを装着した衣服の襟の先端部分に外圧が加わった場合には、ワイシャツの台襟内側に当接している襟潰れ防止リング部３０２は、外圧が加わったワイシャツの襟とともにハンガー１の背面側に変形するとともに、前記外圧が解除されると復元する。従ってこれにより、ワイシャツの台襟先端部分に折り目が出来てしまうということを有効に防止することができる。
【００４２】
更に、本実施例のハンガーでは、フック部４の基部にタック装着部５を有するとともに、このタック装着部５を、前記基部４０２の正面側に対して、約４５度程度の角度をもって後方側に突出するようにし、これにより、連番タック片をタック装着部５に装着した場合に、前記連番タック片の長手方向に沿った一端が、ハンガー１の正面から見て斜め約４５度後方に向くようにしているため、ワイシャツをパイプ等に吊るした状態において、連番タッグ片がパイプの長手方向に対して約４５度傾いた方向に向くことを可能にし、連番タック片に明記されている連番等の確認作業が容易となる。
【００４３】
更に、また、本実施例のハンガー１では、襟保護部３における本体部の高さ寸法を約４０ｍｍに設定しているため、ハンガー１に吊したワイシャツの台襟部分の上端が襟保護部３よりも上方に突出して潰れてしまうことが防止可能である。
【００４４】
また、本実施例においては、前記衣服支持部２の幅方向寸法を約３８ｃｍ程度に設定しているため、ワイシャツを吊した際に袖部分が前側に位置するので、包装等の作業も容易である。
【産業上の利用可能性】
【００４５】
本考案のハンガーは、衣服を支持するための衣服支持部の上部に連設した襟保護部を、前記衣服支持部に対して任意の角度だけ前方に傾け、これにより衣服の台襟後側の湾曲形状を維持可能としているため、ワイシャツ用のオープンハンガーのほか、ズボンの吊り下げ用の横杆を有したハンガー、立体包装用のハンガー等、台襟を有する衣服用のハンガーの全般に適用可能である。
【図面の簡単な説明】
【００４６】
【図１】本考案のハンガーの実施例の正面図である。
【図２】本考案のハンガーの実施例の背面図である。
【図３】本考案のハンガーの実施例の平面図である。
【図４】本考案のハンガーの実施例の右側面図である。
【図５】本考案のハンガーの実施例の左側面図である。
【図６】図１におけるＡ−Ａ線断面を示す図である。
【図７】図６におけるＢ部分の拡大図である。
【図８】本考案のハンガーの実施例の作用を説明するための図である。
【図９】従来のハンガーを説明するための図である。
【図１０】従来のハンガーを説明するための図である。
【図１１】一般的なワイシャツを示す図である。
【図１２】従来のハンガーにワイシャツを吊した状態を正面から示した図である。
【図１３】従来のハンガーにワイシャツを吊した状態を側面から示した図である。
【符号の説明】
【００４７】
１    ハンガー
２    衣服支持部（肩部支持部）
２０１    中央部
２０２    両端部
３    襟保護部
３０１    本体部
３０２    襟潰れ防止リング部
４    フック部
４０１    連設部
４０２    基部
４０３    湾曲部
５    タック装着部
【図１】
0003144453.tif 000003
【図２】
0003144453.tif 000004
【図３】
0003144453.tif 000005
【図４】
0003144453.tif 000006
【図５】
0003144453.tif 000007
【図６】
0003144453.tif 000008
【図７】
0003144453.tif 000009
【図８】
0003144453.tif 000010
【図９】
0003144453.tif 000011
【図１０】
0003144453.tif 000012
【図１１】
0003144453.tif 000013
【図１２】
0003144453.tif 000014
【図１３】
0003144453.tif 000015